(57)【特許請求の範囲】
【請求項１】
複数層のうちの内側層が、巻回されたプリプレグシートであって、前記プリプレグシートの一辺が竿軸線に沿った直線状を呈し、前記プリプレグシートの一辺に対向する他辺が、前記一辺に向かって凹入し、前記プリプレグシートが巻回された状態で、竿先部分から竿元側の近くに至るまで竿径の拡大率が大きくならず、竿元側では竿径の拡大率が大きくなる凹入円弧形状に形成してあり、
前記複数層の内の外側層が、巻回されて螺旋状を呈するプリプレグテープで構成してある釣り竿用の竿体。
【請求項２】
前記内側層を、強化繊維が竿軸線に対して傾斜状態となるように配設された二枚のプリプレグシートを、それらの強化繊維が互いに交差する状態となるように重ね合わせて巻回したバイアス式プリプレグシートで構成してある請求項１記載の釣り竿用の竿体。
【請求項３】
強化繊維群にマトリックス樹脂を含浸させたプリプレグが、複数層に亘って巻回されて作成されている釣り竿用の竿体であって、
前記複数層のうちの内側層を、最も内側に位置する第１内側層とその第１内側層の外側に位置する第２内側層とで構成し、
前記第１内側層が、巻回された第１プリプレグシートであって、前記第１プリプレグシートの一辺が竿軸線に沿った直線状を呈し、前記プリプレグシートの一辺に対向する他辺が、竿先端側から竿元側端に向かうに連れて前記第１プリプレグシートの一辺から離間する直線状の傾斜辺に形成され、
前記第２内側層が、巻回された第２プリプレグシートであって、前記第２プリプレグシートの一辺が竿軸線に対して竿元側程離間する直線状を呈し、前記プリプレグシートの一辺に対向する他辺が、前記一辺に向かって凹入し、前記プリプレグシートが巻回された状態で、竿先部分から竿元側の近くに至るまで竿径の拡大率が大きくならず、竿元側では竿径の拡大率が大きくなる凹入円弧形状に形成してあり、
前記第２プリプレグシートを第１プリペレグシートより薄い肉厚でかつ強化繊維が高弾性であるプリプレグで構成し、
前記複数層の内の外側層が、巻回されて螺旋状を呈するプリプレグテープで構成してある釣り竿用の竿体。
【請求項４】
前記第１プリプレグシートが台形状に裁断されたものであるのに対して、前記第２プリプレグシートは、穂先側端で一辺と他辺とが重なり合う収束状態を示す略三角形状に裁断されており、第１プリプレグシートと第２プリプレグシートとが重ね合わされて巻回された状態で、第２プリプレグシートの一辺が第１プリプレグシートの他辺に対して平行で近接し、かつ、第２プリプレグシートの他辺が第１プリプレグシートの他辺に対して交差する状態にあり、第２プリプレグシートの竿先側部分が第１プリプレグシートの竿先側部分より内側に位置する状態に、及び、第２プリプレグシートの竿元側部分が第１プリプレグシートの竿元側部分より更に外側に位置する状態に巻回されている請求項３記載の釣り竿用の竿体。
【請求項５】
前記第１内側層を、強化繊維が竿軸線に対して傾斜状態となるように配設された二枚の第１プリプレグシートを、それらの強化繊維が互いに交差する状態となるように重ね合わせて巻回したバイアス式プリプレグシートで構成してある請求項３記載の釣り竿用の竿体。
【請求項６】
前記外側層において、前記プリプレグテープの螺旋状を呈する隣接する部分が互いに離間する状態に巻回してあり、かつ、二つのプリプレグテープを互いに交差するように反対向きの螺旋状に巻回して構成してある請求項１〜５のうちの少なくともいずれか一項に記載の釣り竿用の竿体。
【請求項７】
前記プリプレグテープを螺旋状に巻回するに、竿の軸線に対する傾斜角度を、竿先側部分における巻回状態より、竿元側部分における巻回状態を、直角に近い大きな角度に設定してある請求項１〜６のうちの少なくともいずれか一項に記載の釣り竿用の竿体。
【発明の詳細な説明】
【技術分野】
【０００１】
本発明は、強化繊維群にマトリックス樹脂を含浸させたプリプレグを、複数層に亘って巻回して作成される釣り竿用の竿体に関する。
【背景技術】
【０００２】
従来においては、前記複数層のうちの内側層を、メインパターンとしてのシート状のプリプレグ（以後、プリプレグシート）を巻回して構成するとともに、前記複数層の内の外側層を、細幅テープ状のプリプレグ（以後、プリプレグテープ）で構成し、そのプリプレグシートの形状を台形状に形成していた（特許公報１）。
【先行技術文献】
【特許文献】
【０００３】
【特許文献１】特開２００６−２２３１８４号公報（段落番号〔００２０〕、図１）
【発明の概要】
【発明が解決しようとする課題】
【０００４】
確かに、特許文献１に記載した構成のものでは、外側層として、プリプレグテープを螺旋状に巻回しているので、竿を周方向に捩るトルクに対する特性が向上する効果があるが、竿先部分が硬くなる傾向にあるとともに重くなる傾向にある。
しかも、前記したプリプレグシートの形状は、台形状に形成された４辺のうちの一辺を芯金の軸線に沿った直線状に形成し、その一辺に対向する他辺を、直線状でかつ竿元側に位置する程前記一辺から離れる傾斜状態のものに形成していた。
【０００５】
上記のようなプリプレグシートとプリプレグテープに基づいて釣り竿用の竿体に形成した場合に、トルク特性やプリプレグテープの巻き付き面積量が多くなっているので、魚が掛かった場合の魚の重量を受けて竿体が曲りを生ずるが、その曲り状態が十分な円弧を呈することが少なく硬さが勝つものであり、より柔らかい竿体を求める傾向にあった。
また、上記竿体を穂先竿として使用した場合に曲りが十分でないところから、魚信も捉え難く、この面からも改善の余地があった。
【０００６】
本発明の目的は、曲り特性の向上を図りながら、魚信が捉えやすく、かつ、剛性の改善及び十分に軽量化が達成できる釣り竿用竿体を提供する点にある。
【課題を解決するための手段】
【０００７】
〔構成〕
請求項１に係る発明の特徴構成は、複数層のうちの内側層が、巻回されたプリプレグシートであって、前記プリプレグシートの一辺が竿軸線に沿った直線状を呈し、前記プリプレグシートの一辺に対向する他辺が、前記一辺に向かって凹入し、前記プリプレグシートが巻回された状態で、竿先部分から竿元側の近くに至るまで竿径の拡大率が小さく、竿元側では竿径の拡大率が大きくなる凹入円弧形状に形成してあり、
前記複数層の内の外側層が、巻回されて螺旋状を呈するプリプレグテープで構成してある点にあり、その作用効果は次の通りである。
【０００８】
〔作用〕
プリプレグシート形状において、他辺を一辺に向けて凹入する形状に形成してあるので、他辺を従来構造のように、直線状で竿元側程一辺から離れる傾斜状態に形成したものに比べて、竿先部分から竿元側の近くに至るまで竿径が余り大きくならず変わらないものに形成できると同時に、竿元側では急激に竿径が大きくなる傾向にあるので、竿元側部分が曲難く、かつ、竿先側部分及び中間部分が曲易い胴調子の竿とすることができる。
したがって、魚が掛かった場合に、竿先側部分から中間部分が滑らかな円弧状を呈して曲り易いものになると同時に、魚信も捉えやすくなる。
【０００９】
〔効果〕
以上のように、プリプレグテープを螺旋状に巻回することによって剛性を維持しながら、プリプレグシートに工夫を施すことによって、竿先部分の曲り特性を改善出来ると同時に、プリプレグシートとしての面積を低減できるので、軽量化も達成できた。
【００１０】
〔構成〕
請求項２に係る発明の特徴構成は、前記内側層を、強化繊維が竿軸線に対して傾斜状態となるように配設された二枚のプリプレグシートを、それらの強化繊維が互いに交差する状態となるように重ね合わせて巻回したバイアス式プリプレグシートで構成してある点にあり、その作用効果は次の通りである。
【００１１】
〔作用効果〕
内側層を構成するのに、二枚のプリプレグシートを重ねて巻回し、重ねる際に互いの強化繊維が交差するように巻回してあるので、強化繊維が竿の軸線方向だけでなく、竿の軸線方向に対して直交する方向に対して対抗力を発揮できる成分を有しているので、釣り竿が上下方向に対して曲りを生じる場合に対する対抗力だけでなく、竿体の断面を上下方向に押し潰し左右方向に膨張させるような場合にも対抗力を発揮するものを提供できた。
【００１２】
〔構成〕
請求項３に係る発明の特徴構成は、強化繊維群にマトリックス樹脂を含浸させたプリプレグが、複数層に亘って巻回されて作成されている釣り竿用の竿体であって、
前記複数層のうちの内側層を、最も内側に位置する第１内側層とその第１内側層の外側に位置する第２内側層とで構成し、
前記第１内側層が、巻回された第１プリプレグシートであって、前記第１プリプレグシートの一辺が竿軸線に沿った直線状を呈し、前記プリプレグシートの一辺に対向する他辺が、竿先端側から竿元側端に向かうに連れて前記第１プリプレグシートの一辺から離間する直線状の傾斜辺に形成され、
前記第２内側層が、巻回された第２プリプレグシートであって、前記第２プリプレグシートの一辺が竿軸線に対して竿元側程離間する直線状を呈し、前記プリプレグシートの一辺に対向する他辺が、前記一辺に向かって凹入し、前記プリプレグシートが巻回された状態で、竿先部分から竿元側の近くに至るまで竿径の拡大率が大きくならず、竿元側では竿径の拡大率が大きくなる凹入円弧形状に形成してあり、
前記第２プリプレグシートを第１プリペレグシートより薄い肉厚でかつ強化繊維が高弾性であるプリプレグで構成し、
前記複数層の内の外側層が、巻回されて螺旋状を呈するプリプレグテープで構成してある点にあり、その作用効果は次の通りである。
【００１３】
〔作用効果〕
第２内側層を高弾性の強化繊維を配置した第２プリプレグシートで構成することによって、竿元側のネジリ剛性を高めることができるとともに、この第２プリプレグシートを薄くかつ他辺を凹入円弧形状に構成することによって、重量増も抑制することができる釣り竿用の竿体を設けることができた。
【００１４】
〔構成〕
請求項４に係る発明の特徴構成は、前記第１プリプレグシートが台形状に裁断されたものであるのに対して、前記第２プリプレグシートは、穂先側端で一辺と他辺とが重なり合う収束状態を示す略三角形状に裁断されており、第１プリプレグシートと第２プリプレグシートとが重ね合わされて巻回された状態で、第２プリプレグシートの一辺が第１プリプレグシートの他辺に対して平行で近接し、かつ、第２プリプレグシートの他辺が第１プリプレグシートの他辺に対して交差する状態にあり、第２プリプレグシートの竿先側部分が第１プリプレグシートの竿先側部分より内側に位置する状態に、及び、第２プリプレグシートの竿元側部分が第１プリプレグシートの竿元側部分より更に外側に位置する状態に巻回されている点にある。
【００１５】
〔構成〕
請求項５に係る発明の特徴構成は、前記第１内側層を、強化繊維が竿軸線に対して傾斜状態となるように配設された二枚の第１プリプレグシートを、それらの強化繊維が互いに交差する状態となるように重ね合わせて巻回したバイアス式プリプレグシートで構成してある点にあり、その作用効果は次の通りである。
【００１６】
〔作用効果〕
第１内側層を構成するのに、二枚の第１プリプレグシートを重ねて巻回し、重ねる際に互いの強化繊維が交差するように巻回してあるので、強化繊維が竿の軸線方向だけでなく、竿の軸線方向に対して直交する方向に対して対抗力を発揮できる成分を有しているので、釣り竿が上下方向に対して曲りを生じる場合に対する対抗力だけでなく、竿体の断面を上下方向に押し潰し左右方向に膨張させるような場合にも対抗力を発揮するものを提供できた。
【００１７】
〔構成〕
請求項６に係る発明の特徴構成は、前記外側層において、前記プリプレグテープの螺旋状を呈する隣接する部分が互いに離間する状態に巻回してあり、かつ、二つのプリプレグテープを互いに交差するように反対向きの螺旋状に巻回して構成してある点にあり、その作用効果は次の通りである。
【００１８】
〔作用〕
プリプレグテープを螺旋状に巻回するのに、互いに反対方向から巻回する二つのプリプレグテープで行っているので、左右何れの方向に対してもトルク特性を向上させることができる。
したがって、横風を強く受けた場合や船釣りにおいて船の揺れ等を受けても、魚を抜き上げる為に上方に引き上げる力を加えているにも拘わらず、横方向に振られて、魚の取り込みに苦労するということを抑制できる。
また、軸線方向で隣接することとなる螺旋部分同士を、離間する状態で配置することによって、プリプレグテープの巻回量を軽減し同時に剛性が必要以上に大きくなることを抑制できる。
【００１９】
〔効果〕
したがって、二つのプリプレグテープを反対方向にかつ螺旋部分同士を軸線方向で離間する状態で巻回するとともに、プリプレグシートの他辺を凹入する円弧状に形成する工夫によって、左右何れの方向に対してもトルク特性を向上させるものでありながら重量増を来たすことが少なく取り込み易い釣り竿用竿体を提供できるに至った。
【００２０】
〔構成〕
請求項７に係る発明の特徴構成は、前記プリプレグテープを螺旋状に巻回するに、竿の軸線に対する傾斜角度を、竿先側部分における巻回状態より、竿元側部分における巻回状態を、直角に近い大きな角度に設定してある点にあり、その作用効果は次の通りである。
【００２１】
〔作用効果〕
プリプレグの螺旋方向において竿元側部分より竿先側部分の方が、竿の軸線に対して傾斜角度が小さくなっているので、竿先側部分の曲げ強度を向上させることができ、穂先竿等の竿先が細いものに対して有効に作用する。
【図面の簡単な説明】
【００２２】
【図１】図１は、第１実施形態の内側層を形成する前の状態を示し、バイアス式のプリプレグシートを芯金に巻回する前の状態を示す側面図である。
【図２】図２は、第１実施形態の外側層を形成する途中の状態を示し、プリプレグテープを内側層の外側に巻回する状態を示す側面図である。
【図３】図３は、第１実施形態を示し、外側層を巻き終わった状態を示す側面図である。
【図４】図４は、第２実施形態の内側層を形成する前の状態を示し、バイアス式の第１プリプレグシートと第２プリプレグシートを重ね合わせたものを芯金に巻回する前の状態を示す側面図である。
【図５】図５は、異なる構成内容を備えた竿体について、竿先に荷重を掛けた場合の曲り具合の違いを現わした図である。
【図６】図６は、（ａ）において竿体の側面図、（ｂ）において竿体の断面図を示している図である。
【発明を実施するための形態】
【００２３】
〔第１実施形態〕
釣り竿を構成する穂先竿等の竿体Ａについて説明する。竿体Ａは、図６（ａ）（ｂ）で示すように、内側層Ｂと外側層Ｃとで構成される。図１（ａ）に示すように、炭素繊維等の強化繊維ａを一方向に引き揃え、その引き揃え強化繊維群にエポキシ樹脂等の熱硬化性樹脂（又は熱可塑性樹脂）を含浸させて、プリプレグとしてのプリプレグシート１を形成する。このプリプレグシート１を所定の台形状に裁断し、裁断した二枚のプリプレグシート１を二枚重ねて芯金２に巻回し、内側層Ｂを形成する。
二枚のプリプレグシート１においては、後記するように、芯金２に巻回する際に、プリプレグシート１の一辺１Ａを芯金２の軸線Ｙに沿った直線状に形成し、一辺１Ａに対向する他辺１Ｂを、一辺１Ａに向かって凹入する凹入円弧形状に形成してある。凹入円弧形状部分は、曲率半径Ｒで形成されているが、例えば、複数の曲率半径Ｒを組み合わせたもの、あるいは、角を形成するように単に凹ませるだけの形状を呈するものであってもよい。
【００２４】
内側層Ｂにおいては、プリプレグシート１を二枚重ねたバイアス式のものになっており、図１（ｂ）に示すように、重ねる状態は強化繊維ａの引き揃え方向が竿軸線Ｘに対して傾斜角αを約１°〜５°とする範囲で傾斜させかつ竿軸線Ｘに対して対称となるように配置するものである。
このような構成によって、請求項１に記載したような作用効果を奏することができる。
ただし、内側層Ｂとしては、バイアス式を採用せずに一枚もののプリプレグシート１で構成してもよい。この場合には、強化繊維ａの方向は、竿軸線Ｘに沿った方向とする。この際芯金２に周方向繊維を有するプリプレグを巻回した後、強化繊維ａの方向が竿軸線Ｘ方向に沿ったプリプレグシートを巻回して構成してもよい。
また、傾斜角αとしては、５°より大きくてもよく、例えば、３０°〜４５°の範囲に設定してもよい。
【００２５】
プリプレグを構成する強化繊維ａとしては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、織り物に樹脂を含浸させて構成したものであってもよい。
【００２６】
一方、芯金２は次のような材料によって構成されている。芯金２は、構造用鋼（例えばＳ４５Ｃに表面焼き入れ）やＮｉ―Ｍｏ鋼などの高耐熱耐食合金鋼を使用し、表面にクロムメッキ等を施して仕上げ加工される。
【００２７】
次に、外側層Ｃについて説明する。図２及び図３、図６（ｂ）に示すように、外側層Ｃは、内側層Ｂの表面にプリプレグテープ３を螺旋状に巻回することによって形成されている。プリプレグテープ３を竿の軸線方向に沿って螺旋状に巻回し螺旋状を呈する隣接する部分が互いに離間する状態に巻回し、かつ、プリプレグテープ３を互いに交差するように反対向きの螺旋状に巻回して構成してある。プリプレグテープ３を構成するプリプレグの強化繊維ｂの配設方向は、プリプレグテープ３の長手方向に沿ったものである。
【００２８】
図３及び図６（ａ）に示すように、プリプレグテープ３の螺旋状を呈する隣接する部分が互いに離間する状態に設定される為に、プリプレグテープ３が交差する部分同士が、竿軸線Ｘに沿った方向において、竿先側程広くなる間隔になるように構成する。つまり、左右二つのプリプレグテープ３、３が交差する交点同士の隣接する間隔ｃは、竿先側に位置する程広くなるように設定してある。これによって、竿体Ａの剛性を適度な強度のものにでき、軽量化も図れる。
【００２９】
また、プリプレグテープ３を螺旋状に巻回するに、竿軸線Ｘに対する傾斜角度βを、竿先側部分における巻回状態より、竿元側部分における巻回状態を、直角に近い大きな角度に設定してある（図３）。このようなプリプレグテープ３の巻回方法を採用することによって、穂先側でのプリプレグテープ３の竿軸線Ｘに沿った方向での対抗力が強くなり、曲げ強度や剛性の高まりが見られる。
【００３０】
上記した内外層Ｂ、Ｃを形成したものに対して、ポリエステル等の成形テープ（図示せず）を巻回して締め込んだものを、芯金２に巻回した状態で炉に入れて焼成し、焼成後成形テープを剥離しかつ芯金２を脱芯して円筒状の竿素材を取り出しその竿素材を所定長に裁断して、仕上加工を施し釣り竿用の竿体Ａとする。
【００３１】
上記竿体Ａについて詳述すると、プリプレグテープ３を螺旋状にかつプリプレグテープ３が交差する点を竿軸線Ｘ方向で離間する状態に配置することによって、プリプレグテープ３を隣接する部分同士が密接する密巻状態のものに比べて、重量増加分を３分の１に抑えることができる。
【００３２】
一方、プリプレグシート１の他辺１Ｂを円弧状に凹入形成することによって、プリプレグテープ３を、巻回した場合に見られる重量増加分を相殺することができる。
従って、プリプレグテープ３を巻回することによる重量増加分を、プリプレグシート１の他辺１Ｂを凹入形状に形成することによって、相殺することができた。
【００３３】
ここで、異なる構成内容を備えた竿体Ａについて、竿先に荷重を掛けた場合の曲り具合について説明する。
（１）第１番目の竿体Ａａは、図５の点線で示す曲りを呈するが、内側層Ｂのプリプレグシート１の他辺に凹入形状を形成したものであり、プリプレグテープ３による外側層Ｃは形成されていないものを示す。
図５の点線で示すように、プリプレグシート１に凹入部を形成しプリプレグテープ３による外側層Ｃを形成していないものでは、穂先部分が可なり柔らかくなり、穂先部分が曲り易い傾向を持っている。
【００３４】
（２）第２番目の竿体Ａｂは、図５の１点鎖線で示す曲りを呈するが、内側層Ｂのプリプレグシート１には一辺１Ａにも、他辺１Ｂにも凹入形状は採用されてなく、そのプリプレグシート１の上からプリプレグテープ３を図３で示すように螺旋状に巻回したものを示す。
図５の１点鎖線で示すように、プリプレグシート１にプリプレグテープ３を巻回したものでは、プリプレグシート１に凹入部を形成してはいないので、穂先部分の柔らかさが抑制され、かつ、竿体全体が均等な曲率半径で円弧状を呈する傾向を持っている。
【００３５】
（３）第３番目の竿体Ａｃは、図５の実線で示す曲りを呈するが、本願発明が提示する竿体であり、内側層Ｂのプリプレグシート１の他辺に凹入形状を形成したものであり、かつ、そのプリプレグシート１の上からプリプレグテープ３、３を図３で示すように螺旋状に巻回したものを示す。
図５の実線で示すように、本願発明の竿体Ａｃは、プリプレグテープ３を巻回した第２番目の竿体Ａｂと同様に、円弧状を呈する曲り傾向を維持しながら、若干、穂先部分が、プリプレグシート１に凹入部を形成することに起因して、穂先部分が柔らかさを増して、第２番目の竿体Ａｂに比べて少し曲り易い傾向を持っている。
【００３６】
したがって、本願発明を具現化する第３番目の竿体Ａｃにおいては、
（１）プリプレグテープ３を螺旋状に巻回するに、竿軸線Ｘに対する傾斜角度βを、竿先側部分における巻回状態より、竿元側部分における巻回状態を、直角に近い大きな角度に設定してある。このようなプリプレグテープ３の巻回方法を採用することによって、穂先側でのプリプレグテープ３の竿軸線Ｘに沿った方向での対抗力が強くなり、曲げ強度や剛性の高まりが見られる。
（２）一方、図５の実線で示すように、本願発明の竿体Ａｃは、プリプレグテープ３を巻回した第２番目の竿体Ａｂと同様に、円弧状を呈する曲り傾向を維持しながら、若干、穂先部分が、プリプレグシート１に凹入部を形成することに起因して、柔らかさを増して、第２番目の竿体Ａｂに比べて少し曲り易い傾向を持っている。
（３）上記した（１）に起因して、竿先部分が曲り難く硬くなる点を、（２）に記載した方策によって竿先部分に柔らかさを付与できるので、両者が相俟って相殺しあい、適度な柔らかさと強度を備えた竿先部分を有する竿体Ａｃを提案することができた。
【００３７】
〔第２実施形態〕
ここでは、請求項３〜５に対応した実施形態について説明する。つまり、図４に示すように、内側層Ｂを第１内側層Ｂａとその外側に位置する第２内側層Ｂｂとの二層に形成し、外側層Ｃとして、第１実施形態で示したプリプレグテープ３を巻回した層を採用する形態について説明する。ただし、プリプレグテープ３を巻回した外側層Ｃについては、図２及び図３に示すものと同じであるので、ここでは図示してはいない。
【００３８】
図４に示すように、第１内側層Ｂａを、シート状のプリプレグ（以後、第１プリプレグシート）を巻回して構成するとともに、第１プリプレグシート４の一辺４Ａを竿軸線Ｘに沿った直線状に形成し、一辺４Ａに対向する他辺４Ｂを竿先端側から竿元側端に向かうに連れてその一辺４Ａから離間する直線状の傾斜辺４Ｂに形成する。つまり、一般的な台形状のプリプレグシートを形成する。
一方、第１プリプレグシート４の竿先側辺４Ｃの幅Ｌ１と竿元側辺４Ｄの幅Ｌ３とは、竿元側辺４Ｄの幅Ｌ３が長く裁断されているが、その差は２倍より短くなっている（図４）。
【００３９】
このことは、図１（ａ）で示すように、プリプレグシート１の竿先側辺１Ｃの幅Ｌ１に対して竿元側辺１Ｄの幅Ｌ２が２倍から３倍に相当する長さを有するものと異なっている。
このように、竿元側辺４Ｄの幅Ｌ３を抑制することによって、竿元側での巻き回数（プライ数）を低減し、竿元側が必要以上に硬く、剛性が高くなることを抑制している。
また、このことによって、重量増を抑制できる。
【００４０】
この第１内側層Ｂａを形成する第１プリプレグシート４については、第１実施形態で示したように、二枚のプリプレグシート４を重ね合わせたバイアス式のものであり、夫々のプリプレグシート４の強化繊維ａは、竿軸線Ｘに対して前記した傾斜角αで引き揃えられている。
なお、この第１プリプレグシート４の厚みは、前記したプリプレグシート１の厚みより薄いものを使用している。
ただし、この第１内側層Ｂａとしては、バイアス式を採用せずに一枚もののプリプレグシート４で構成してもよい。この場合には、強化繊維ａの方向は、竿軸線Ｘに沿った方向とする。
【００４１】
次に、第２内側層Ｂｂを、シート状のプリプレグ（以後、第２プリプレグシート）を巻回して構成するとともに、第２プリプレグシート５の一辺５Ａを第１プリプレグシート４の他辺４Ｂに沿った直線状に形成し、一辺５Ａに対向する他辺５Ｂを、一辺５Ａに向かう凹入円弧形状に形成してある。
一辺５Ａと他辺５Ｂとは竿先側で一点に交わり一致点となるとともに、竿元側において一定の幅を備えた竿元側辺５Ｄを構成してある。竿元側辺５Ｄは、一定の幅ｔを有する直線状部分５ｄと他辺５Ｂに繋がる傾斜状部分５ｅとで形成してあり、全体として第２プリプレグシート５は略三角形を呈している。
【００４２】
この三角形状を呈する第２プリプレグシート５を第１プリプレグシート４に対して、竿先部分が幅ｔで一致するように重ね合わせ、傾斜状部分５ｅが第１プリプレグシート４の他辺４Ｂと直交する状態で、竿元側の手元側部分が第１プリプレグシート４から突出するように構成してある。
また、第２プリプレグシート５を第１プリプレグシート４より薄い肉厚でかつ強化繊維が高弾性であるプリプレグで構成して、第１プリプレグシートの竿元側に重なるように配置した。
複数層の内の外側層Ｃについては図示してはいないが、図２、３に示すプリプレグテープ３が螺旋状に巻回される。
【００４３】
〔別実施形態〕
（１）内側層Ｂを形成する場合に、プリプレグシート１、４を巻回することに先行して、竿先側と竿元側とに、軸線長の短い補強プリプレグを巻回してもよい。補強プリプレグとしては、強化繊維ａを竿軸線Ｘに平行なものであってもよく、或いは、強化繊維ａを竿軸線Ｘに対して僅かに傾斜させた二枚のプリプレグをバイアス式に重ね合わせたものでもよい。
（２）穂先竿ではなく、中間竿等を形成する場合には、外側層Ｃの更に外側に最外側層を形成してもよい。最外層としては、強化繊維ａを竿軸線Ｘ方向に引き揃えたプリプレグシート、また、強化繊維ａを竿の周方向に沿って引き揃えたプリプレグシート、または、プリプレグテープを螺旋状に巻回するものであってもよい。
（３）外側層Ｃとしては、単一のプリプレグテープを螺旋状に巻回するものでもよい。この場合には、竿軸線方向に沿って隣接するテープ部分同士を密接する状態で、或いは、適当な間隔を空けて離間する状態に巻回してもよい。
単一のプリプレグテープを螺旋状に左右一方方向に巻回した上から、他の単一プリプレグテープを左右反対方向に螺旋状に巻回してもよい。
【産業上の利用可能性】
【００４４】
本願発明は、ルアー竿等の穂先竿から元上までの釣り竿用の竿体に適用できる。
【符号の説明】
【００４５】
１              プリプレグシート
１Ａ            一辺
１Ｂ            他辺
２              芯金
３              プリプレグテープ
４              第１プリプレグシート
４Ａ            一辺
４Ｂ            他辺
５              第２プリプレグシート
５Ａ            一辺
５Ｂ            他辺
Ａ              竿体
Ｂ              内側層
Ｂａ            第１内側層
Ｂｂ            第２内側層
Ｃ              外側層
【図１】
0005843585.tif 000002
【図２】
0005843585.tif 000003
【図３】
0005843585.tif 000004
【図４】
0005843585.tif 000005
【図５】
0005843585.tif 000006
【図６】
0005843585.tif 000007